(57)【特許請求の範囲】
【請求項１】
液滴を吐出するためのノズルと、
前記ノズルから吐出されて飛翔する液滴のうち、記録に用いられる液滴に対して第１の電荷を与え、記録に用いられない液滴に対して、前記第１の電荷と電荷量及び極性の少なくとも一方が異なる第２の電荷を与え、または、電荷を与えない帯電電極と、
飛翔する液滴を通過させるための開口を備え、該開口に前記液滴が進入する軌道軸線の方向に配列された複数の電極を含み、前記帯電電極によって電荷が付与された液滴を偏向するための偏向電極と、を備え、
前記偏向電極の前記複数の電極は前記軌道軸線の方向に沿って前記ノズルに近い側からこの順に配列される第１、第２および第３の電極を含み、
前記第１の電極と前記第２の電極とは電位差を有し、
前記電位差により形成される電界は、前記第１及び第３の電極の付近では前記軌道軸線に関して対称であり、前記第２の電極の付近では前記軌道軸線に関して非対称であり、
前記第１及び第３の電極の開口の形状は前記軌道軸線に対して対称であり、前記第２の電極の開口の形状は前記軌道軸線に対して非対称である、ことを特徴とする液体吐出ヘッド。
【請求項２】
前記第１及び第３の電極と前記第２の電極とは互いに異なる形状を有し、かつ、前記第２の電極の電位は、前記第１の電極の電位及び前記第３の電極の電位のいずれとも異なることを特徴とする請求項１に記載の液体吐出ヘッド。
【請求項３】
前記第１、第２及び第３の電極の配列間隔が等しく、かつ、前記第１及び第３の電極の電位は互いに等しく、かつ、前記第１及び第３の電極の形状が同一であることを特徴とする請求項１又は２に記載の液体吐出ヘッド。
【請求項４】
前記第１、第２及び第３の電極は、それぞれ、前記軌道軸線が通過する位置に開口を有する支持体を有し、前記支持体の開口の形状が同一であることを特徴とする請求項１乃至３のいずれか１項に記載の液体吐出ヘッド。
【請求項５】
前記ノズルから吐出される液滴の飛翔方向と交差する方向に、前記ノズルが複数配列されていることを特徴とする請求項１乃至４のいずれか１項に記載の液体吐出ヘッド。
【請求項６】
前記帯電電極、前記第１、第２及び第３の電極は、それぞれ前記ノズルから吐出された液滴が通過するための開口を備える板状部材であり、
前記帯電電極、前記第１、第２及び第３の電極のそれぞれにおいて、前記開口は、前記板状部材の主面に沿った第１の方向と、該第１の方向とは異なる前記主面に沿った第２の方向と、のそれぞれに関して複数配列されており、
前記帯電電極、前記第１、第２及び第３の電極は、前記ノズルから液滴が吐出する方向に積層されていることを特徴とする請求項１乃至５のいずれか１項に記載の液体吐出ヘッド。
【請求項７】
前記帯電電極は前記ノズルから吐出された液滴が通過するための開口を備える板状部材であり、
前記第１、第２及び第３の電極は、それぞれ、１本あるいは複数のワイヤからなり、
前記開口は、前記板状部材の主面に沿った第１の方向と、該第１の方向とは異なる前記主面に沿った第２の方向と、のそれぞれに関して複数配列されており、
前記第１、第２及び第３の電極のそれぞれにおいて、前記ワイヤは、前記板状部材の主面に沿った第１の方向に沿って複数配列されており、
前記帯電電極、前記第１、第２及び第３の電極は、前記ノズルから液滴が吐出する方向に積層されていることを特徴とする請求項１乃至５のいずれか１項に記載の液体吐出ヘッド。
【発明の詳細な説明】
【技術分野】
【０００１】
本発明は、帯電粒子を制御するための偏向電極、この偏向電極を備えた液体吐出ヘッド、および、この液体吐出ヘッドを備えた液体吐出装置に関する。
【背景技術】
【０００２】
いわゆるコンティニュアス方式の液滴吐出装置は、ポンプで液体に常時圧力をかけてノズルから押し出し、さらに加振手段により振動を加えることで、ノズルから吐出された液体が規則正しく液滴を形成する状態を形成する。この方式では、液滴がノズルから吐出され続けるので、印刷データにあわせて印刷に使用する液滴と使用しない液滴を選別する必要がある。いわゆる荷電偏向方式では、液滴を選択的に帯電させ、電場によって偏向させ、非帯電液滴と異なる軌道を飛翔するようにして選別を行う。選別された非印刷液滴は、ガターによって捕獲、回収する。これらの機能を実現するため、ノズルから液滴飛翔軌道に沿って、帯電電極、偏向電極、ガターが設けられる。
【０００３】
ノズルから吐出された液柱が液滴となり、さらに、偏向電極により選別に十分な偏向を与えられるようにするには、ノズルから被印刷媒体までの距離がある程度必要となる。このため、ノズルから吐出される液滴の角度のわずかなずれが着弾精度に大きな影響を及ぼす。一般に帯電粒子を収束させる電極構成として静電レンズが知られている。静電レンズは、帯電粒子の進行方向に複数の電極を設けることでレンズの光軸に関して対称な電界を形成する。静電レンズの種類は、電極の形状および数により、界浸レンズ、円筒レンズ、静電単レンズなどが挙げられる。これらの回転対称な静電レンズに共通な点は、帯電粒子の極性、帯電量によって、焦点距離は変化するが、帯電粒子はレンズの光軸に収束することである。すなわち、一般的な静電レンズでは、あらゆる荷電粒子は同一の光軸上に収束する。
【０００４】
特許文献１では、液滴を帯電させるための帯電電極と選別のための偏向電極の間に、静電レンズを形成するような電極群を設け、印刷液滴の軌道補正を行っている。ここでの電極は、同じ寸法形状の開口を有する電極を液滴軌道上に並べることで、上述の収束効果を発現させている。
【先行技術文献】
【特許文献】
【０００５】
【特許文献１】特公昭５９−００３１５４号公報
【発明の概要】
【発明が解決しようとする課題】
【０００６】
ところで、特許文献１に開示された静電レンズは、帯電粒子の速度や極性に関わらず、帯電粒子をレンズの光軸上に収束させてしまうため、偏向させる場合には、偏向電極と収束のための静電レンズを個別に設ける必要がある。従って、偏向用に少なくとも２枚、収束用に少なくとも２枚、合計４枚の電極が必要であった。このため、製造コストが高くなるという問題がある。また、液滴吐出装置においては、さらにノズルから被印刷媒体までの距離が長くなり、液滴の着弾精度が低下する可能性もある。
【０００７】
本発明の目的は、簡素な電極構成により帯電粒子を一の軸に向かわせる収束効果と収束する軸の方向を変える偏向効果の両方の機能を実現可能な偏向電極、液滴吐出ノズルおよび液滴吐出装置を提供することにある。さらに本発明の目的は、荷電偏向型コンティニュアス式の液体吐出装置における液滴の着弾精度を向上させることにある。
【課題を解決するための手段】
【０００８】
本発明の液体吐出ヘッドは、液滴を吐出するためのノズルと、前記ノズルから吐出されて飛翔する液滴のうち、記録に用いられる液滴に対して第１の電荷を与え、記録に用いられない液滴に対して、前記第１の電荷と電荷量及び極性の少なくとも一方が異なる第２の電荷を与え、または、電荷を与えない帯電電極と、飛翔する液滴を通過させるための開口を備え、該開口に前記液滴が進入する軌道軸線の方向に配列された複数の電極を含み、前記帯電電極によって電荷が付与された液滴を偏向するための偏向電極と、を備え、前記偏向電極の前記複数の電極は前記軌道軸線の方向に沿って前記ノズルに近い側からこの順に配列される第１、第２および第３の電極を含み、前記第１の電極と前記第２の電極とは電位差を有し、前記電位差により形成される電界は、前記第１及び第３の電極の付近では前記軌道軸線に関して対称であり、前記第２の電極の付近では前記軌道軸線に関して非対称であり、前記第１及び第３の電極の開口の形状は前記軌道軸線に対して対称であり、前記第２の電極の開口の形状は前記軌道軸線に対して非対称である、ことを特徴とする。
【発明の効果】
【００１２】
本発明は、簡素な電極構成により帯電粒子を一の軸に向かわせる収束効果と収束する軸の方向を変える偏向効果の両方の機能を実現することができる。
【図面の簡単な説明】
【００１３】
【図１】本発明の液滴吐出装置の概要図である。
【図２】本発明の液滴吐出ヘッドの側面の概略図である。
【図３】本発明の第１の実施形態における収束偏向電極の斜視図である。
【図４】本発明の第１の実施形態における収束偏向電極板の上面図、および、収束偏向電極の電界を表す図である。
【図５】本発明の第１の実施形態における液滴の飛翔軌道を表す図である。
【図６】本発明の第１の実施形態における液滴の飛翔軌道を表すグラフである。
【図７】本発明の第１の実施形態における液滴の速度と偏向量の関係を示すグラフである。
【図８】本発明の第１の実施形態における液滴吐出ヘッドの斜視図と分解斜視図である。
【図９】本発明の第２の実施形態における収束偏向電極の斜視図である。
【図１０】本発明の第２の実施形態における電界と液滴の飛翔軌道を示す図である。
【図１１】本発明の第３の実施形態における収束偏向電極の斜視図である。
【図１２】本発明の第３の実施形態における電界と液滴の飛翔軌道を示す図である。
【図１３】本発明の第４の実施形態における収束偏向電極板の上面図である。
【図１４】本発明の第４の実施形態における収束偏向電極の電界を表す図である。
【図１５】本発明の第４の実施形態における液滴の飛翔軌道を示すグラフである。
【図１６】本発明の第５の実施形態における収束偏向電極の斜視図である。
【図１７】本発明の第５の実施形態における電界と液滴の飛翔軌道を示す図である。
【図１８】本発明の第６の実施形態における収束偏向電極の斜視図である。
【図１９】本発明の第６の実施形態における電界と液滴の飛翔軌道を示す図である。
【図２０】本発明の第６の実施形態における液滴吐出ヘッドの斜視図と分解斜視図である。
【図２１】本発明の第７の実施形態における収束偏向電極の斜視図である。
【図２２】本発明の第７の実施形態における電界と液滴の飛翔軌道を示す図である。
【図２３】本発明の第８の実施形態における収束偏向電極の斜視図である。
【図２４】本発明の第８の実施形態における電界と液滴の飛翔軌道を示す図である。
【図２５】本発明の第８の実施形態における液滴吐出ヘッドの斜視図と分解斜視図である。
【発明を実施するための形態】
【００１４】
［第１の実施の形態］
本発明の第１の実施形態を説明する。本実施形態では、液滴吐出装置について述べているが、本発明に係る収束偏向電極は、電子顕微鏡や荷電粒子線装置など、帯電粒子（荷電粒子）の制御装置全般に適用可能なものである。また、本発明の液滴吐出装置の吐出対象は、色材を用いた印刷用インクにとどまらず、帯電可能な液体全般に適用可能なものである。
【００１５】
また、収束という用語は広義には偏向に含まれるが、本発明では、収束と区別して「偏向」という用語を用いる。すなわち、本発明において帯電粒子が「収束」するとは、異なる飛翔軌道を有する帯電粒子が、１点に向かうように方向を変えることを指す。一方、「偏向」するとは、異なる飛翔軌道を有する帯電粒子が軌道によらず、特定の方向に向きを変えることを指すものとする。また、帯電粒子が「収束かつ偏向」するとは、１つの軸上へ収束するとともに、収束する軸の方向を変えることを意味する。本発明における偏向電極は、収束効果を有するため、「収束偏向電極」と呼ぶこととする。
【００１６】
図１は、本発明の液滴吐出ヘッドを搭載した液滴吐出装置のシステム概要図である。本発明の液滴吐出装置は、インクタンク００１、加圧ポンプ００２、加振機構００３、ヘッド００４、回収ポンプ００６、インク調整部００７からなる。
【００１７】
図２は、さらに本発明のヘッド部の構成の概要図である。
【００１８】
ヘッド部は、オリフィスプレート１０１、帯電電極板１０２、収束偏向電極１０３およびガター００５を含む。これらは、図２に示すようにインクの飛翔方向に上記の順で配列されている。オリフィスプレート１０１には液滴が吐出されるノズル１１１が形成されている。帯電電極板１０２には、吐出されたインクが通過する開口が設けられ、開口周辺には電極が形成されている。電極は配線に接続され、個別に帯電電圧を印加することができるようになっている。帯電電極板１０２は、ノズルから吐出されて飛翔する液滴のうち、記録に用いられる液滴に対して第１の電荷を付与する。また、記録に用いられない液滴に対して、第１の電荷と電気量及び極性の少なくとも一方が異なる第２の電荷を与え、または、電荷を与えない。
【００１９】
収束偏向電極１０３は、液滴飛翔軌道軸線が通過する部分に開口を有する複数の電極板が液滴の飛翔方向に配列された構成となっている。収束偏向電極１０３の各電極板にはそれぞれ、電極が形成されている。電極は、電極板自体に金属などの導電性部材を用い、開口を形成することによって作製することができる。あるいは、電極板に樹脂やセラミック、ガラスなどの絶縁部材を支持体として用い、電極を表面や開口側壁に金属などの導電層を形成し、パターニングすることによっても作製することができる。前者の場合は、電極の形状と開口形状は一致するが、後者の場合は、開口の形状とは異なる電極を形成することができ、設計自由度が高い。一部の電極板の電極は液滴が通過する開口の周辺で液滴の進入軌道に関して対称な形状をしており、残りの電極板の電極は液滴が通過する開口の周辺で液滴の軌道軸線に関して非対称な形状をしている。
【００２０】
収束偏向電極１０３の各電極板は互いに絶縁されるとともに、配線に接続されており、個別に電圧を印加することで電位を与えることができるようになっている。収束偏向電極１０３の各電極板に電圧を印加することにより、電極間の電位差によって電極の周辺に電界が形成される。収束偏向電極１０３の電極形状により、開口周辺に液滴の軌道軸線に関して対称な電極を有する電極板の開口周辺には液滴軌道軸線に関して対称な電界が形成される。一方、開口部周辺に液滴の軌道軸線に関して非対称な電極を有する電極板の開口周辺には非対称な電界が形成される。これらの対称な電界と非対称な電界の組み合わせにより、収束効果と偏向効果が生まれる。
【００２１】
ガター００５は非印刷液滴の飛翔軌道上に開口部を有し、非印刷液滴を捕獲することができるようになっている。
【００２２】
次に、本発明の液滴吐出装置の動作を説明する。まず、インクには帯電させるために導電性のものを使用する。インクタンク００１に貯えられたインクは、加圧ポンプ００２によって加圧され、ヘッド００４に供給される。ヘッド００４に供給されたインクは、加振機構００３によって振動を与えられ、共通液室１００を通り、ノズル１１１から吐出される。ノズル１１１から吐出されたインクは、１ｍｍ程度飛翔すると、液柱から液滴に分裂する。帯電電極板１０２はこの液滴に分裂する位置で貫通孔を通過するように設置されている。液滴への分裂時に電極に電圧が印加されていると液滴は帯電し、電圧が印加されていないと液滴は帯電しない。また、帯電電圧の大きさに応じて、帯電量が変化する。従って、印刷データにあわせ、印刷に使用する液滴と印刷に用いない液滴で異なる帯電量を与えるように帯電電極への印加電圧を制御する。収束効果を得るためには、帯電量は非ゼロである必要がある。従って、印刷精度を高めるため、本発明の液滴吐出装置の印刷液滴への帯電量は、非ゼロである。一方、非印刷液滴への帯電量はゼロでもかまわないが、選別を効果的におこなうには、印刷液滴の帯電量との差がなるべく大きい方が好ましい。特に、印刷液滴と非印刷液滴で極性を異ならせることで、偏向方向が逆になり、大きな偏向差を得ることができる。
【００２３】
その後、帯電液滴は、収束偏向電極１０３において、液滴軌道が偏向されるとともに同軌道上に収束される。印刷液滴と非印刷液滴とで帯電量が異なるため、偏向量が異なり、液滴軌道は２つに分かれ、印刷液滴は、収束偏向電極の被印刷媒体へと着弾し、非印刷液滴は偏向後、ガター００５に着弾し、回収される。回収されたインクは、回収ポンプ００６によって吸引され、インク調整部００７でごみの除去や粘度調整を行った後、再び加圧ポンプ００２によって加圧され、印刷のためにヘッドへと循環される。
【００２４】
［第１の実施例］
本発明の第１の実施例を説明する。本実施例の収束偏向電極１０３の斜視図を図３に示す。収束偏向電極１０３は、第１の収束偏向電極板２０１、第２の収束偏向電極板２０２、および、第３の収束偏向電極板２０３の３枚の電極板で構成されている。第１の収束偏向電極板２０１、第３の収束偏向電極板２０３の上面図を図４（ａ）に、第２の収束偏向電極板２０２の上面図を図４（ｂ）に示す。図に記されているように、ノズル面に垂直な軸であって吐出方向が負となるように規定されたＺ軸と、このＺ軸に垂直な面上に、Ｘ軸およびＹ軸をとる。Ｘ軸とＹ軸とは直交している。
【００２５】
収束偏向電極板２０１、２０２、２０３は、いずれも液滴が通過する開口（空隙）を有している。本実施形態では、各電極板には厚さ５０μｍの金属板を用い、開口形状が電極の形状となっている。各電極の配列間隔はともに５０μｍである。この間隔を保つためには、周囲から保持してもよいし、電極板間に厚さ５０μｍの絶縁スペーサを挿入してもよい。絶縁スペーサには、ガラス、プラスティック、セラミックス、ゴムなどを用いることができる。絶縁スペーサを設けることで、電極間隔を一定に保ちやすいだけでなく、電極間の絶縁破壊に対する耐圧を高めることができる。
【００２６】
第１の収束偏向電極板２０１および第３の収束偏向電極板２０３の開口形状は、直径１００μｍの２つの円形開口が、Ｘ軸方向に互いに１５０μｍ離れて設けられており、液滴は、そのうちの一方（図４（ａ）の左の開口）の中心を通過する。第２の収束偏向電極板２０２の開口は、図４（ｂ）に示すように、中心が互いに１００μｍ離れている１００μｍの曲率半径をもつ２つの半円弧をつないだ長穴形状となっている。
【００２７】
第１の収束偏向電極板２０１および第３の収束偏向電極板２０３の液滴が通過する開口の形状は液滴の進入軌道に関して回転対称である。一方、第２の収束偏向電極板２０２の液滴が通過する開口の形状は液滴の進入軌道に関して非対称である。
【００２８】
ここで、電極の開口が対称であるということについて、さらに詳しく述べる。第１の収束偏向電極板２０１および第３の収束偏向電極板２０３は、液滴が通過する開口以外に別の開口（図４（ａ）の右の開口）があるため、電極全体では、液滴の進入軌道に関して非対称である。しかしながら、図４（ａ）の右の開口と左の開口との間は電極形状によって完全に分離されているため、左の開口は、右の開口内の電界の形成にほとんど寄与しない。すなわち、液滴通過する開口付近での電界の形成には、液滴が通過する開口の形状が重要である。そこで、本発明において、液滴が通過する開口の形状とは、進入軌道を取り囲むように形成されている導電部のエッジ形状（電極板の開口の内周壁を含む）を意味する。収束偏向電極板が導体からなる場合には液滴が通過する開口の内縁の形状と一致する。図４（ａ）の場合は、左の開口形状が液滴が通過する開口周辺の電極形状に当たるため、軌道軸に対して対称であるといえる。
【００２９】
その他の本実施例の液滴吐出装置の構成、および、運転条件を説明する。ノズル径は７．４μｍとなっており、加圧ポンプ００２の圧力は０．８ＭＰａとなっている。また、加振機構００３の振動数は５０ｋＨｚ程度である。この場合、液滴サイズは４ｐＬ、吐出速度は１０ｍ／ｓ程度となる。飛翔液滴は空気抵抗によって減速し、収束偏向電極板１０３を通過する際には、８ｍ／ｓ程度になっている。
【００３０】
帯電電極板１０２は、厚さ５００μｍ、開口部は直径３００μｍの円形とし、厚さ方向の中央がノズル１１１から１ｍｍ離れた位置になり、液滴軌道が開口中心を通過するように配置する。開口側壁には導電層が形成され円筒状電極となっている。印刷液滴への帯電電圧を２００Ｖ、非印刷液滴への帯電電圧Ｖcを−２００Ｖとすると、帯電量はそれぞれ、−３．０×１０-13Ｃ、３．０×１０-13Ｃとなる。収束偏向電極１０３はノズル１１１から２ｍｍ、ガター００５はノズル１１１から２．５ｍｍ、被印刷媒体はノズル１１１から３ｍｍ離れた位置にある。
【００３１】
第１の収束偏向電極板２０１の電圧Ｖd1を０Ｖ、第２の収束偏向電極板２０２の電圧Ｖd2を３００Ｖ、第３の収束偏向電極板２０３の電圧Ｖd3を０Ｖとし、収束偏向電極１０３での電場の等電位線、および、帯電した液滴の軌道をシミュレーションした。シミュレーションには、３次元非線形静電場解析ソフトウェアＥＬＦＩＮ（エルフ社）を用いた。図４（ｃ）は、ＸＺ面内の等電位線を表している。第１の収束偏向電極板２０１および第３の収束偏向電極板２０３の周辺では、液滴の進入軌道に対して対称な電界が形成されている。一方、第２の収束偏向電極板２０２付近では電極板開口に対称な電界が形成されており、液滴の進入軌道に対しては非対称な電界となっている。電界形状が軌道軸に対して対称か非対称かは、実施形態において述べたように、電極板の電極（開口形状）が液滴軌道に対して対称であるかどうかに起因している。
【００３２】
図５（ａ）は、液滴の吐出方向が、Ｚ軸に対して、Ｘ軸方向に−２．５ｍｒａｄ、−１ｍｒａｄ、０ｍｒａｄ、１ｍｒａｄ、２．５ｍｒａｄとなった場合の負に帯電した印刷液滴の飛翔軌道を示している。収束偏向電極１０３を通過すると、液滴は−Ｘ方向に偏向するとともに、偏向された軸上に収束しているのがわかる。図６（ａ）は、より正確な液滴の軌道をグラフ化した図である。ノズル１１１から約３ｍｍ離れた点に収束点があることがわかる。収束偏向電極１０３が無かった場合に吐出方向が２．５ｍｒａｄずれると、着弾位置は７．５μｍずれるのに対し、この収束偏向電極１０３の効果で０．４５μｍとなっている。同様に、収束偏向電極１０３が無かった場合に吐出方向が１ｍｒａｄずれると、着弾位置は３μｍずれるのに対し、この収束偏向電極１０３の効果で０．１５μｍとなっている。従って、１２００ｄｐｉ以上の高精細吐出ヘッドに対しても、十分な着弾精度を得ることができる。
【００３３】
飛翔する帯電液滴は、等電位線に対して垂直な方向に力を受けるので、収束偏向電極１０３を通過中に液滴が受ける力は以下のように説明できる。負に帯電した液滴が収束偏向電極１０３内に進入したとする。負に帯電した液滴は、電場によって第１の収束偏向電極板２０１から第２の収束偏向電極板２０２に向かう間は加速し、第２の収束偏向電極板２０２から第３の収束偏向電極板２０３に向かう間は減速する。また、この液滴が軌道中心に対して、右（＋Ｘ）方向にずれて進入すると、第１の収束偏向電極板２０１、および、第３の収束偏向電極板２０３周辺を通過する際には左（−Ｘ）向きの力を受ける。一方、左（−Ｘ）方向にずれて進入すると、第１の収束偏向電極板２０１、および、第３の収束偏向電極板２０３周辺を通過する際には右（＋Ｘ）向きの力を受ける。すなわち、第１の収束偏向電極板２０１、および、第３の収束偏向電極板２０３周辺の電界によって、収束効果が生まれる。一方、第２の偏向電極２０２の周辺を通過する際には液滴軌道のズレに関わらず左（−Ｘ）向きの力を受ける。すなわち、第２の収束偏向電極板２０２周辺の電界によって偏向効果が生まれる。また、第２の収束偏向電極２０２におけるＸ方向の電場は均一ではなく、より左（−Ｘ）にずれた液滴の方が強い力を受ける。従って、第２の収束偏向電極２０２付近では、液滴は発散する。しかしながら、先に述べたように、第１および第３の収束偏向電極２０１、２０３付近での液滴の速度は第２の収束偏向電極２０２付近での液滴の速度に比べて遅いため、第１および第３の収束偏向電極２０１、２０３付近の電界の影響をより受ける。そのため、発散効果よりも収束効果の方が勝り、最終的に負に帯電した液滴は収束する。以上が負の液滴に対する収束および偏向のメカニズムである。
【００３４】
また、図４（ｄ）は、ＹＺ面内の等電位線を表している。液滴の進入軌道に対し、収束偏向電極の電極形状はＹ方向には対称となっているため、生じる電界もＹ方向には液滴の進入軌道に対し対称となっている。図５（ｂ）は、液滴の吐出方向が、Ｚ軸に対して、Ｙ軸方向に−２．５ｍｒａｄ、−１ｍｒａｄ、０ｍｒａｄ、１ｍｒａｄ、２．５ｍｒａｄとなった場合の負に帯電した印刷液滴の飛翔軌道を示している。Ｘ方向と異なり、非対称な電界がないため、偏向は発生していないことがわかる。図６（ｂ）は、より正確な液滴の軌道をグラフ化した図である。液滴軌道は軌道中心に対して対称で、また、収束偏向電極１０３によって収束されているのがわかる。収束偏向電極１０３が無かった場合に吐出方向が２．５ｍｒａｄずれると、着弾位置は７．５μｍずれるのに対し、この収束偏向電極１０３の効果で４．２μｍとなっている。同様に、収束偏向電極１０３が無かった場合に吐出方向が１ｍｒａｄずれると、着弾位置は３μｍずれるのに対し、この収束偏向電極１０３の効果で１．７μｍとなっている。Ｘ方向のずれに対する収束効果に対し、Ｙ方向の収束効果は若干小さいものの、着弾誤差を５０％程度に低減できている。
【００３５】
次に、非印刷液滴に対する軌道の解析を行った。図５（ｃ）は、液滴の吐出方向が、Ｚ軸に対して、Ｘ軸方向に−２．５ｍｒａｄ、−１ｍｒａｄ、０ｍｒａｄ、１ｍｒａｄ、２．５ｍｒａｄとなった場合の正に帯電した非印刷液滴の飛翔軌道を示している。印刷液滴とは異なり、右（＋Ｘ）方向に偏向しているのがわかる。図６（ｃ）は、より正確な液滴の軌道をグラフ化した図である。ガターがあるノズル１１１から２．５ｍｍ離れた点において、約１２５μｍの偏向量が得られている。同じ距離において、印刷液滴は約６０μｍ偏向しており、印刷液滴との差は１８５μｍである。これは、印刷液滴と非印刷液滴を選別するのに十分な差である。
【００３６】
また、非印刷液滴も、印刷液滴と同様に収束していることがわかる。具体的には、収束偏向電極１０３が無かった場合に吐出方向が２．５ｍｒａｄずれると、ガター００５での着弾位置は６．３μｍずれるのに対し、収束偏向電極１０３の効果で４．１μｍとなっている。同様に、収束偏向電極１０３が無かった場合に吐出方向が１ｍｒａｄずれると、ガター００５での着弾位置は２．５μｍずれるのに対し、この収束偏向電極１０３の効果で１．７μｍとなっている。このように収束効果を有することで、ガター００５への回収精度も高めることができる。これは、回収しそこなった液滴が飛翔路壁面に着き、目詰まりや液だれの原因となったり、チャージを発生させて液滴軌道をずらしたりするのを防ぐ効果がある。
【００３７】
正に帯電した液滴に対する収束・偏向のメカニズムをより詳しく述べる。これは、上述の負に帯電した液滴の収束とは異なるメカニズムである。正に帯電した液滴は、電場によって第１の収束偏向電極板２０１から第２の収束偏向電極板２０２に向かう間は減速し、第２の収束偏向電極板２０２から第３の収束偏向電極板２０３に向かう間は加速する。また、正に帯電した液滴が軌道中心に対して、右（＋Ｘ）方向にずれて進入すると、第１の収束偏向電極板２０１、および、第３の収束偏向電極板２０３周辺を通過する際には右（＋Ｘ）向きの力を受ける。一方、左（−Ｘ）方向にずれて進入すると、第１の収束偏向電極板２０１、および、第３の収束偏向電極板２０３の周辺を通過する際には左（―Ｘ）向きの力を受ける。すなわち、第１の収束偏向電極板２０１、および、第３の収束偏向電極板２０３の周辺の対称な電界によって、液滴は発散してしまい収束効果は得られない。一方、第２の偏向電極２０２周辺を通過する際には液滴軌道のズレに関わらず右（＋Ｘ）向きの力を受ける。すなわち、第２の収束偏向電極板２０２周辺の電界によって偏向効果が生まれ、この向きは負の帯電液滴とは逆の向きとなる。さらに、第２の収束偏向電極板２０２周辺の電界をより詳しく観察すると、等電位線の間隔から、この右（＋Ｘ）向きの力は、開口中心側の方が弱いことがわかる。すなわち、より左（−Ｘ）にある液滴ほど偏向量が大きいため、収束効果が生まれる。先に述べたように、第１および第３の収束偏向電極２０１、２０３付近での正に帯電した液滴の速度は、第２の収束偏向電極２０２付近での液滴の速度に比べて速い。従って、より第２の収束偏向電極２０２付近の電界の影響を受ける。そのため、発散効果よりも収束効果の方が勝り、最終的に正に帯電した液滴は収束する。従って、正の液滴に対しての収束効果は、第１の収束偏向電極板２０１、および、第３の収束偏向電極板２０３周辺の対称な電界によるものではなく、第２の偏向電極２０２周辺の電界によるものである。
【００３８】
以上の解析結果から、収束偏向電極１０３が、収束効果と偏向効果の両方を有しており、帯電量によって、偏向量が異なるため、液滴の選別手段として有効であるとともに着弾精度を向上させる効果があることがわかる。
【００３９】
本実施形態では収束偏向電極１０３は３枚の電極板からなっているが、実施形態２で述べるように２枚でも収束・偏向効果が得られる。しかしながら、先に述べたように液滴は電極間を通過する際に加速、あるいは、減速する。従って、液滴の速度が収束偏向電極１０３の前後で変化しないようにするには、電極を３枚以上とし、液滴進入方向における両端部の外側電極の電位が等しいことが好ましい。さらに、外側電極が周辺の部材との間に電界を形成し、帯電液滴に対し、速度変化や飛翔方向のずれを生まないようにするには、外側の電極の電位は０Ｖ（ＧＮＤ）として接地されていることが好ましい。すなわち、本実施形態の様に３個の偏向電極があれば、電極の入口と出口での液滴の速度が変わらず、かつ、収束、および、偏向の効果が得られる。
【００４０】
次に、印刷液滴の収束偏向電極１０３への進入速度と偏向量の関係をグラフにしたのが図７である。偏向量は液滴の速度によって変化し、例えば液滴の進入速度が５．５ｍ／ｓ〜９．５ｍ／ｓの範囲では、ノズル１１１から第１の収束偏向電極板２０１の開口中心に垂直に進入する液滴の偏向量はΔＸは、液滴の進入速度ｖとの間に、
ΔＸ＝０．００４ｖ-1.7    ・・・（１）
の関係が成り立っている。図７のグラフから、液滴の進入速度が速いほど偏向量は小さくなり、遅いほど偏向量は大きくなることがわかる。これは、速度に反比例して収束偏向電極１０３内を通過する時間が長くなり、電界から力をうける時間が長くなるためである。
【００４１】
一方、液滴の速度がばらつくと被印刷媒体への着弾時差となり、その間に被印刷媒体が搬送される距離分の着弾誤差となる。そこで、印刷液滴の偏向する方向（本実施形態では−Ｘ方向）と被印刷媒体の搬送方向を同じ向きにすると、液滴の速度のばらつきによる収束偏向電極１０３での偏向量のばらつきと着弾時差による誤差を相殺することができる。
【００４２】
例えば、液滴の平均流速、および、収束偏向電極１０３への進入速度を８ｍ／ｓとしたとき、液滴の流速が１％速くなると、飛翔距離３ｍｍでは、着弾時間は３．７１μｓ早くなる。被印刷媒体の搬送速度を、例えば、０．８３ｍ／ｓとすると、着弾時差による着弾誤差は、被印刷媒体の搬送方向を負として、−３．０９μｍである。一方、収束偏向電極での偏向量の変化に伴う着弾誤差は１．８μｍとなる。従って、両者の効果を合わせた着弾誤差は、−１．２９μｍとなる。両者による誤差が完全に相殺される条件を以下に求める。（１）の関数は帯電電圧や収束偏向電極板の各電圧や電極形状によって変化するが、これらの構成が決まると、定式化することができるので、（１）式の関数を一般化してΔＸ＝ｆ（ｖdrop）とする。また、液滴の平均速度ｖdrop、ノズル１１１から紙までの距離ｌ、被印刷媒体の搬送速度ｖmediaとすると、
【００４３】
【数１】
0005725800.tif 000002
【００４４】
と表される。液滴の速度変動Δｖdropが十分に小さな範囲で式を整理すると、 
【００４５】
【数２】
0005725800.tif 000003
【００４６】
となる。印刷液滴の偏向する方向と被印刷媒体の搬送方向を同じ向きにすれば、上述の誤差相殺効果が得られるが、より好ましくは、（３）式を満たすようにｖdrop、ｌ、ｖmedia、各電極の電圧のバランスを決めれば、誤差相殺効果は最も大きくなる。尚、ｆ（ｖdrop）は、帯電電圧、および、収束偏向電極の電圧にほぼ比例する。なぜなら、液滴の帯電量は帯電電圧にほぼ比例し、また、収束偏向電極の電界の強さは収束偏向電極の電圧にほぼ比例し、帯電液滴が受ける力はこれらに比例するためである。
【００４７】
また、液滴の帯電量は、帯電電極板１０２の印加電圧が同じであっても、先行する液滴の帯電状態によって変動する。これは先行する帯電液滴による静電誘導が原因である。そこで、印刷データに基づいて、先行液滴の帯電量を予測し、前記静電誘導をキャンセルするように帯電電極板１０２の印加電圧を制御することで、液滴の帯電量のばらつきを低減することができる。
【００４８】
これまで、ノズル１１１を一つ備えた液滴吐出装置について述べてきたが、ノズル１１１の数は複数あってもよい。図８は、複数のノズル１１１を有する場合の本発明の液滴吐出ヘッドの斜視図および分解斜視図である。ヘッド部の構成部材は、それぞれ、板状部材であり、インクの飛翔方向に積層されている。オリフィスプレート１０４は、共通液室１００にはり合わせられている。オリフィスプレート１０１には、インクを吐出するノズルが主面の第１の方向とこれに直交する第２の方向に２次元状に複数配列されている。帯電電極板１０２には、吐出されたインクが通過する開口が設けられ、さらに貫通孔の側壁には電極が形成されている。電極は配線に接続され、個別に帯電電圧を印加することができるようになっている。
【００４９】
収束偏向電極１０３のそれぞれの電極板２０１、２０２、２０３には、吐出されたインクが通過する開口が個別に設けられている。収束偏向電極１０３の各電極板は互いに絶縁されている必要があるが、帯電電極板１０２の電極とは異なり、ノズルごとに個別に電圧をコントロールする必要がないので、同一の電極板内では同電位になるように、互いに配線によってつながっていてもよい。また、第１の偏向電極板１０３を導電性部材で作製することによって、部材全体を同電位とし、電極板内の電極や配線のパターニングを省略してもよい。ガター００５には、各ノズル１１１からの印刷に使用されない液滴を回収するための開口が設けられており、さらに、回収した液滴を回収ポンプ００６へ送るための流路が設けられている。オリフィスプレート１０４、帯電電極板１０３、各収束偏向電極板２０１、２０２、２０３およびガター００５の間には、それぞれ、両者の間隔に保ち、また、電極間を絶縁するため、絶縁スペーサ３０１、３０２、３０３、３０４、３０５が設けられている。このように、ヘッドを構成する部材を複数のノズルに対応した板状構造とすることで、各ノズルに対し、個別に電極板を設けるよりも、組み立てが非常に簡便になる。さらに、収束偏向電極１０３の各電極板２０１、２０２、２０３内においては、各ノズルに対応する電極は同一の電位でよく、また、個別にスイッチングする必要がないので、配線を簡略化することができる。
【００５０】
一部の収束偏向電極板の電極は液滴が通過する開口部の周辺で液滴の進入軌道に対して対称な形状をしており、残りの収束偏向電極板の電極は液滴が通過する開口部の周辺で液滴の進入軌道に対して非対称な形状をしている。ここで、本発明において、液滴が通過する開口周辺の電極形状とは、液滴の通過軌道と電極板の形成する面との交点から電極板を見た際に、軌道軸を取り囲むように形成されている導電部のエッジ形状（電極板の開口側壁を含む）を意味する。収束偏向電極板全体から見ると、各ノズル１１１に対応した開口が設けられているため、液滴の進入軌道に対して非対称である。しかしながら、周辺のノズルのために開けられた開口は、距離が遠いのと、間にある電極に遮られ、当該液滴の侵入軌道上の電界形成にほとんど影響を与えない。すなわち、液滴通過する開口付近での電界の形成には、液滴が通過する開口周辺の電極の形状が重要である。図８の複数のノズル１１１を有する構成での各ノズルから吐出された液滴の飛翔軌道は、先に述べた単ノズルでの解析結果と同様のものとなり、それぞれに収束かつ偏向効果を有する。
【００５１】
［第２の実施例］
本発明の第２の実施例について説明する。本実施例では、収束偏向電極１０３は２枚の電極板２０１、２０２からなる（図９）。第１の電極板２０１の形状は図４（ａ）に示す第１の実施例における第１の偏向電極板２０１と同様で、第２の電極板２０２の形状は図４（ｂ）に示す第１の実施例における第２の偏向電極板２０２と同様である。また、その他のノズル１１１、帯電電極板１０２の配置、形状は第１の実施例と同様である。また、加圧ポンプ００２、加振機構００３の運転条件も実施形態１と同様で、液滴サイズは４ｐＬ、吐出速度は１０ｍ／ｓ程度で、第１の偏向電極板１０３を通過する際には、８ｍ／ｓ程度になっているのも同様である。
【００５２】
印刷液滴への帯電電圧を４００Ｖ、非印刷液滴への帯電電圧Ｖcを−４００Ｖとすると、帯電量はそれぞれ、−６．０×１０-13Ｃ、６．０×１０-13Ｃとなる。収束偏向電極１０３はノズルから２ｍｍ、被印刷媒体はノズルから３ｍｍ離れた位置にある。
【００５３】
第１の収束偏向電極板２０１の電圧Ｖd1を０Ｖ、第２の収束偏向電極板２０２の電圧Ｖd2を１００Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図１０（ａ）は、ＸＺ面内の等電位線を表している。第１の収束偏向電極板２０１の開口（空隙）周辺では、液滴の軌道軸線に対して対称な電界が形成されている。一方、第２の収束偏向電極板２０２付近では、液滴の軌道軸線に対しては非対称な電界となっている。これは、実施例において述べたように、電極板の電極（開口形状）が液滴軌道軸線に関して対称であるかどうかに起因している。
【００５４】
液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示したのが１１（ｂ）である。液滴が収束偏向電極１０３を通過することで、左（−Ｘ方向）に偏向され、かつ収束していくのがわかる。一方、正に帯電した非印刷液滴の飛翔軌道についても同様の計算を行った結果を図１０（ｃ）に示す。印刷液滴とは反対の方向（＋Ｘ方向）に偏向しているのがわかる。ガター００５はこの非印刷液滴の飛翔軌道上に設ければよい。
【００５５】
以上のことから、収束偏向電極１０３が２枚の電極板からなる場合でも、収束かつ偏向の効果が得られることがわかる。電極板を２枚とすることで、より構成を単純にすることができる。印刷液滴の偏向方向と被印刷媒体の搬送方向を同じにすると、液滴の速度ばらつきに起因する誤差を低減できるのは、第１の実施例と同様である。また、複数のノズル１１１を設けた液滴吐出ヘッドに適用可能なのは、第１の実施例と同様である。
【００５６】
［第３の実施例］
本発明の第３の実施例について説明する。本実施例では、図１１に示すように、収束偏向電極１０３は３枚の電極板２０１、２０２、２０３からなる。第１の電極板２０１、および、第３の電極板２０３の形状は、図４（ｂ）に示す第１の実施例における第２の偏向電極板２０２と同様で、第２の電極板２０２の形状は図４（ａ）に示す第１の実施例における第１および第３の偏向電極板２０１、２０３と同様である。すなわち、本実施形態では、Ｚ方向の外側電極板２０１および２０３の開口（空隙）が液滴の進入軌道に関して非対称で、内側電極板２０２の開口が液滴の進入軌道に対して対称となっている。
【００５７】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００５８】
印刷液滴への帯電電圧を４００Ｖ、非印刷液滴への帯電電圧Ｖcを−４００Ｖとすると、帯電量はそれぞれ、−６．０×１０-13Ｃ、６．０×１０-13Ｃとなる。収束偏向電極１０３はノズルから２ｍｍ、被印刷媒体はノズルから３ｍｍ離れた位置にある。
【００５９】
第１の収束偏向電極板２０１の電圧Ｖd1を０Ｖ、第２の収束偏向電極板２０２の電圧Ｖd2を−１００Ｖ（実施形態１とは逆極性）、第３の収束偏向電極板２０３の電圧Ｖd3を０Ｖとした。そして、収束偏向電極での電場の等電位線、および、帯電した液滴の軌道をシミュレーションした。シミュレーションには３次元非線形静電場解析ソフトウェアＥＬＦＩＮ（エルフ社）を用いた。図１２（ａ）は、ＸＺ面内の等電位線を表している。第２の収束偏向電極板２０２の周辺では、液滴の進入軌道に対して対称な電界が形成されている。一方、第１の収束偏向電極板２０１、および、第３の収束偏向電極板２０３の開口付近では液滴の進入軌道に対し非対称な電界となっている。これは、実施例において述べたように、電極板の電極（開口形状）が液滴軌道に対して対称であるかどうかに起因している。
【００６０】
図１２（ｂ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。液滴が収束偏向電極１０３を通過することで、左（−Ｘ方向）に偏向され、かつ収束していくのがわかる。一方、図１２（ｃ）は、正に帯電した非印刷液滴の飛翔軌道についても同様の計算を行った結果を示す。印刷液滴とは反対の方向（＋Ｘ方向）に偏向しているのがわかる。ガター００５はこの非印刷液滴の飛翔軌道上に設ければよい。
【００６１】
以上のことから、収束偏向電極１０３を構成する複数の電極板のうち、液滴軌道に対して対称な電極板と非対称な電極板の数や順序を変更しても、収束かつ偏向の効果は得られることがわかる。印刷液滴の偏向方向と被印刷媒体の搬送方向を同じにすると、液滴の速度ばらつきに起因する誤差を低減できるのは、第１の実施例と同様である。また、複数のノズル１１１を設けた液滴吐出ヘッドに適用可能なのは、第１の実施例と同様である。
【００６２】
［第４の実施例］
本発明の第４の実施例を述べる。本実施例では、収束偏向電極１０３は３枚の電極板２０１、２０２、２０３からなる。第１の電極板２０１、および、第３の電極板２０３の形状は、図４（ａ）に示す第１の実施例における第１、第３の偏向電極板２０１、２０３と同様で、第２の電極板２０２の形状は図４（ｂ）に示す第１の実施例における第２の偏向電極板２０２と同様である。ただし、第２の偏向電極板２０２は、図１３の収束偏向電極１０３の上面図に示すように、他の電極板２０１、２０３に対して、＋Ｙ方向に５０μｍずらして配置されている。これにより、第２の偏向電極板２０２の開口（空隙）付近の電極は、液滴飛翔軌道に対して、Ｘ方向だけでなく、Ｙ方向にも非対称になっている。
【００６３】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００６４】
印刷液滴への帯電電圧を４００Ｖ、非印刷液滴への帯電電圧Ｖcを−４００Ｖとすると、帯電量はそれぞれ、−６．０×１０-13Ｃ、６．０×１０-13Ｃとなる。収束偏向電極１０３はノズルから２ｍｍ、被印刷媒体はノズルから３ｍｍ離れた位置にある。
【００６５】
第１の収束偏向電極板２０１の電圧Ｖd1を０Ｖ、第２の収束偏向電極板２０２の電圧Ｖd2を１００Ｖ、第３の収束偏向電極板２０３の電圧Ｖd3を０Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図１４（ａ）は、ＸＺ面内の等電位線を表している。第１の収束偏向電極板２０１、および、第３の収束偏向電極板２０３の周辺では、液滴の進入軌道に対して対称な電界が形成されている。一方、第２の収束偏向電極板２０２の開口付近では液滴の進入軌道に対し非対称な電界となっている。これは、第１の実施例の解析結果と同様である。一方、図１４（ｂ）は、ＹＺ面内の等電位線を示している。Ｙ方向に対しても、第１の収束偏向電極板２０１、および、第３の収束偏向電極板２０３の開口形状は液滴進入軌道に対して対称なのに対し、第２の収束偏向電極板２０２の開口形状は非対称である。そのため、ＹＺ面内の等電位線も第２の収束偏向電極板２０２周辺で液滴進入軌道に対して非対称になっている。
【００６６】
図１５（ａ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。−Ｙ方向から見た正面図（上）から液滴が収束偏向電極１０３を通過することで、左（−Ｘ方向）に偏向され、かつ収束していくのがわかる。さらに、＋Ｚ方向から見た上面図（下）を見ると、液滴がＸ方向だけでなく、Ｙ方向にも偏向されながら収束していることがわかる。これが、第２の偏向電極２０２を液滴の進入軌道に対してＹ方向にも非対称にした影響である。
【００６７】
一方、図１５（ｂ）は、正に帯電した非印刷液滴の飛翔軌道についても同様の計算を行った結果を示している。−Ｙ方向から見た正面図（上）から、印刷液滴とは反対の方向（＋Ｘ方向）に偏向しているのがわかる。さらに、＋Ｚ方向から見た上面図（下）を見ると、液滴がＸ方向だけでなく、Ｙ方向にも印刷液滴とは反対側に偏向されているのがわかる。これも、第２の偏向電極２０２を液滴の進入軌道に対してＹ方向にも非対称にした影響である。ガター００５は、この非印刷液滴の飛翔軌道上に設ければよい。
【００６８】
以上のことから、Ｘ軸だけでなくＹ軸方向にも液滴軌道に対して非対称な電極とすることで、収束機能を有したままＹ方向にも偏向させられることがわかる。印刷液滴の偏向方向と被印刷媒体の搬送方向を同じにすると、液滴の速度ばらつきに起因する誤差を低減できるのは、第１の実施例と同様である。また、複数のノズル１１１を設けた液滴吐出ヘッドに適用可能なのは、第１の実施例と同様である。
【００６９】
［第５の実施例］
本発明の第５の実施例について説明する。本実施例では、図１６に示すように、収束偏向電極１０３は３枚の電極板２０１、２０２、２０３からなる。第１の電極板２０１、および、第３の電極板２０３の形状は、図４（ａ）に示す第１の実施例における第１および第３の偏向電極板２０１、２０３と同様である。また、第２の電極板２０２の形状は図４（ｂ）に示す第１の実施例における第２の偏向電極板２０２の開口（空隙）側壁のみに電極が形成されている。
【００７０】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００７１】
印刷液滴への帯電電圧を４００Ｖ、非印刷液滴への帯電電圧Ｖcを−４００Ｖとすると、帯電量はそれぞれ、−６．０×１０-13Ｃ、６．０×１０-13Ｃとなる。収束偏向電極１０３はノズルから２ｍｍ、被印刷媒体はノズルから３ｍｍ離れた位置にある。
【００７２】
第１の収束偏向電極板２０１の電圧Ｖd1を０Ｖ、第２の収束偏向電極板２０２の電圧Ｖd2を１００Ｖ、第３の収束偏向電極板２０３の電圧Ｖd3を０Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図１７（ａ）は、ＸＺ面内の等電位線を表している。第１の収束偏向電極板２０１、および、第３の収束偏向電極板２０３の周辺では、液滴の進入軌道に対して対称な電界が形成されている。一方、第２の収束偏向電極板２０２の開口付近では液滴の進入軌道に対し非対称な電界となっている。これは、第１の実施例の解析結果と同様である。
【００７３】
図１７（ｂ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。液滴が収束かつ偏向（−Ｘ方向）している様子が分かる。
【００７４】
一方、図１７（ｃ）は、正に帯電した非印刷液滴の飛翔軌道についても同様の計算を行った結果を示す。印刷液滴とは反対の方向（＋Ｘ方向）に偏向しているのがわかる。ガター００５は、この非印刷液滴の飛翔軌道上に設ければよい。
【００７５】
以上のことから、収束偏向電極板１０３の電極は、電極板の表面ではなく、開口の内周面に形成しても効果があることがわかる。印刷液滴の偏向方向と被印刷媒体の搬送方向を同じにすると、液滴の速度ばらつきに起因する誤差を低減できるのは、第１の実施例と同様である。また、複数のノズル１１１を設けた液滴吐出ヘッドに適用可能なのは、第１の実施例と同様である。
【００７６】
［第６の実施例］
本発明の第６の実施例について説明する。本実施例では、図１８に示すように、収束偏向電極１０３は３枚の電極板２０１、２０２、２０３からなる。本実施形態の収束偏向電極１０３に設けられた開口（空隙）は、スリット状である。図１８において収束偏向電極１０３の各電極は、それぞれ、複数の部品からなっているが、印加される電圧は、同一の電極板内では同一の電圧値である。
【００７７】
第１および第３の収束偏向電極板２０１、２０３の電極形状は、厚さ５０μｍで、Ｙ軸方向に沿って１００μｍ幅のスリット状の開口が空いている。液滴の飛翔軌道はＹ軸に平行で、本スリットの両壁から等距離の位置を通過する。一方、第２の収束偏向電極板２０２の電極形状は、Ｙ軸方向に沿って幅３００μｍ幅のスリット状の開口が空いており、液滴の軌道は、スリットの一方の壁から１００μｍ、もう一方の壁から２００μｍ離れた位置を通過する。すなわち、Ｘ軸方向に関して、液滴の軌道に対し、第１および第３の収束偏向電極板２０１、２０３の電極形状は対称となっており、第２の収束偏向電極板２０２の電極形状は非対称となっている。
【００７８】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００７９】
印刷液滴への帯電電圧を４００Ｖ、非印刷液滴への帯電電圧Ｖcを−４００Ｖとすると、帯電量はそれぞれ、−６．０×１０-13Ｃ、６．０×１０-13Ｃとなる。収束偏向電極１０３はノズルから２ｍｍ、被印刷媒体はノズルから３ｍｍ離れた位置にある。
【００８０】
第１の収束偏向電極板２０１の電圧Ｖd1を０Ｖ、第２の収束偏向電極板２０２の電圧Ｖd2を１００Ｖ、第３の収束偏向電極板２０３の電圧Ｖd3を０Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図１９（ａ）は、ＸＺ面内の等電位線を表している。第１の収束偏向電極板２０１、および、第３の収束偏向電極板２０３の周辺では、液滴の進入軌道に対して対称な電界が形成されている。一方、第２の収束偏向電極板２０２の開口付近では液滴の進入軌道に対し非対称な電界となっている。これは、第１の実施例の解析結果と同様である。
【００８１】
図１９（ｂ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。液滴が収束かつ偏向（−Ｘ方向）している様子が分かる。一方、図１９（ｃ）は、正に帯電した非印刷液滴の飛翔軌道についても同様の計算を行った結果を示す。印刷液滴とは反対の方向（＋Ｘ方向）に偏向しているのがわかる。ガター００５は、この非印刷液滴の飛翔軌道上に設ければよい。以上のように、収束偏向電極板１０３の電極の開口はスリット状であっても収束、偏向の効果があることがわかる。ただし、Ｙ方向に関しては、本実施形態では、レンズ効果を有する電界を形成しないため、収束効果は得られない。
【００８２】
また、第１の実施例と同様に複数のノズル１１１を設けてもよい。図２０は、本実施例のスリット状の開口を複数のノズル１１１に適用した場合のヘッドの斜視図である。第１の実施例の複数のノズル１１１を具備した場合と同様に、ヘッドを構成する部材を複数のノズルに対応した板状部材とすることで、各ノズルに対し、個別に電極板を設けるよりも、組み立てが非常に簡便になる。さらに、収束偏向電極１０３の各電極板２０１、２０２、２０３内においては、各ノズルに対応する電極は同一の電位でよく、また、個別にスイッチングする必要がないので、配線を簡略化することができる。その上、本実施例においては、スリット状の開口をノズル列ごとに共有できるため、個々のノズル１１１からの液滴に対応した開口を個別に設けるよりもさらに作製しやすく、ノズル配列を高密度化できるという利点がある。また、長いスリット状の電極の開口空隙は、個別に円形の開口を設けるよりもミストによる目詰まりが起こり難く、また、万が一、ミストが付着した際にもクリーニングし易いという利点がある。
【００８３】
［第７の実施例］
本発明の第７の実施例について説明する。本実施例では、図２１に示すように、収束偏向電極１０３は８本のワイヤ状電極が、それぞれ、３本、２本、３本ずつ液滴の進入軌道に対して垂直に層状となっている。各層を電極２０１、２０２、２０３とする。電極の各層は複数のワイヤからなっているが、印加される電圧は、同一の電極層内では同一の電圧値である。このように電極形状をワイヤ状にすることで、電極、および、電極を支えるための構造が少なく周辺に空間を多く取れるため、インクのミストが周囲に付着したり、電極でインクが目詰まりしたりしにくい構成となっている。
【００８４】
ワイヤの断面形状はいずれも円形で、直径は６０μｍとなっており、Ｙ軸に平行になるように張られている。第１および第３の収束偏向電極２０１、２０３の隣り合うワイヤの中心間距離はいずれも１５０μｍとなっている。液滴の飛翔軌道は隣り合う２本のワイヤから等距離の位置を通過する。一方、第２の収束偏向電極２０２は、２本のワイヤの中心間距離が３５０μｍとなっており、液滴の軌道は、一方のワイヤの中心から１００μｍ、もう一方のワイヤの中心から２５０μｍ離れた位置を通過する。すなわち、Ｘ軸方向に関して、液滴の軌道に対し、第１および第３の収束偏向電極２０１、２０３の電極形状は対称となっており、第２の収束偏向電極２０２の電極形状は非対称となっている。
【００８５】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００８６】
印刷液滴への帯電電圧を８０Ｖ、非印刷液滴への帯電電圧Ｖcを−８０Ｖとすると、帯電量はそれぞれ、−１．２×１０-13Ｃ、１．２×１０-13Ｃとなる。収束偏向電極１０３はノズルから２ｍｍ、被印刷媒体はノズルから３ｍｍ離れた位置にある。
【００８７】
第１の収束偏向電極２０１の電圧Ｖd1を０Ｖ、第２の収束偏向電極２０２の電圧Ｖd2を５００Ｖ、第３の収束偏向電極２０３の電圧Ｖd3を０Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図２２（ａ）は、ＸＺ面内の等電位線を表している。第１の収束偏向電極２０１、および、第３の収束偏向電極２０３の周辺では、液滴の進入軌道に対して対称な電界が形成されている。一方、第２の収束偏向電極２０３の開口付近では液滴の進入軌道に対し非対称な電界となっている。これは、第１の実施例の解析結果と同様である。
【００８８】
図２２（ｂ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。液滴が収束かつ偏向（−Ｘ方向）している様子が分かる。一方、図２２（ｃ）は、正に帯電した非印刷液滴の飛翔軌道についても同様の計算を行った結果を示す。印刷液滴とは反対の方向（＋Ｘ方向）に偏向しているのがわかる。ガター００５は、この非印刷液滴の飛翔軌道上に設ければよい。以上のように、収束偏向電極がワイヤ状であっても収束、偏向の効果があることがわかる。ただし、Ｙ方向に関しては、本実施形態では、レンズ効果を有する電界を形成しないため、収束効果は得られない。
【００８９】
［第８の実施例］
本発明の第８の実施例について説明する。本実施例では、図２３に示すように、第７の実施例と同様に収束偏向電極１０３はワイヤからなっている。ワイヤの断面形状はいずれも円形で、直径は６０μｍとなっており、Ｙ軸に平行になるように張られている。また、ワイヤの総数は３本で、２本が液滴の進入軌道に対して垂直な面状にあり、第１の電極２０１を形成し、残りの１本が第２の電極２０２となっている。
【００９０】
第１の収束偏向電極２０１の２本のワイヤはワイヤの中心間距離は１５０μｍとなっている。液滴の飛翔軌道は、２本のワイヤから等距離の位置を通過する。一方、第２の収束偏向電極２０２のワイヤの中心は液滴の軌道から１００μｍ離れた位置となっている。すなわち、Ｘ軸方向に関して、液滴の軌道に対し、第１の収束偏向電極２０１の電極形状は対称となっており、第２の収束偏向電極２０２の電極形状は非対称となっている。
【００９１】
また、その他のノズル１１１、帯電電極板１０２の配置、形状は第１の実施例と同様である。また、加圧ポンプ００２、加振機構００３の運転条件も第１の実施例と同様で、液滴サイズは４ｐＬ、吐出速度は１０ｍ／ｓ程度で、第１の偏向電極板１０３を通過する際には、８ｍ／ｓ程度になっているのも同様である。
【００９２】
印刷液滴への帯電電圧を８０Ｖ、非印刷液滴への帯電電圧Ｖcを−８０Ｖとすると、帯電量はそれぞれ、−１．２×１０-13Ｃ、１．２×１０-13Ｃとなる。収束偏向電極１０３はノズルから２ｍｍ、被印刷媒体はノズルから３ｍｍ離れた位置にある。
【００９３】
第１の収束偏向電極２０１の電圧Ｖd1を０Ｖ、第２の収束偏向電極２０２の電圧Ｖd2を５００Ｖとし、収束偏向電極での電場の等電位線、および、帯電した液滴の軌道をシミュレーションした。シミュレーションには３次元非線形静電場解析ソフトウェアＥＬＦＩＮ（エルフ社）を用いた。図２４（ａ）は、ＸＺ面内の等電位線を表している。第１の収束偏向電極２０１の周辺では、液滴の進入軌道に対して対称な電界が形成されている。一方、第２の収束偏向電極２０２の開口付近では液滴の進入軌道に対し非対称な電界となっている。これは、第１の実施例の解析結果と同様である。
【００９４】
図２４（ｂ）は、液滴の吐出が、Ｚ軸に並行で、第１の収束偏向電極板２０１の開口中心軸からＸ軸方向に−２０μｍ、−１０μｍ、０μｍ、１０μｍ、２０μｍ、となった場合の負に帯電した印刷液滴の飛翔軌道を示している。液滴が収束かつ偏向（−Ｘ方向）している様子が分かる。一方、図２４（ｃ）は、正に帯電した非印刷液滴の飛翔軌道についても同様の計算を行った結果を示す。印刷液滴とは反対の方向（＋Ｘ方向）に偏向しているのがわかる。ガター００５は、この非印刷液滴の飛翔軌道上に設ければよい。以上のように、収束偏向電極が少なくとも３本のワイヤからなっていれば収束、偏向の効果があることがわかる。ただし、Ｙ方向に関しては、本実施形態では、レンズ効果を有する電界を形成しないため、収束効果は得られない。
【００９５】
また、第１の実施例と同様に複数のノズル１１１を設けてもよい。図２５は、本実施例のスリット状の開口を複数のノズル１１１に適用した場合のヘッドの斜視図である。第１の実施例の複数のノズル１１１を具備した場合と同様に、ヘッドを構成する部材を複数のノズルに対応したワイヤ状部材とし、保持板３０２および３０３によって張り渡すことで、各ノズルに対し、個別に電極板を設けるよりも、組み立てが非常に簡便になる。さらに、収束偏向電極１０３の各電極板２０１、２０２内においては、各ノズルに対応する電極は同一の電位でよく、また、個別にスイッチングする必要がないので、配線を簡略化することができる。その上、本実施例においては、ワイヤ状の開口をノズル列ごとに共有できるため、個々のノズル１１１からの液滴に対応した開口を個別に設けるよりもさらに作製しやすく、ノズル配列を高密度化できるという利点がある。また、ワイヤ状の電極は電極の周囲に空間が多く取れ、個別に円形の開口を設けたり、スリット状の電極を設けるよりもミストによる目詰まりが起こり難いという利点がある。
【００９６】
印刷液滴の偏向方向と被印刷媒体の搬送方向を同じにすると、液滴の速度ばらつきに起因する誤差を低減できるのは、第１の実施例と同様である。
【００９７】
印刷液滴の偏向方向と被印刷媒体の搬送方向を同じにすると、液滴の速度ばらつきに起因する誤差を低減できるのは、第１の実施例と同様である。
【産業上の利用可能性】
【００９８】
本発明の収束偏向電極は、簡易な電極構成で帯電粒子に対し、収束および偏向を行うため、小型の帯電粒子制御装置を製造できる。また、本発明の液体吐出ヘッドは収束および偏向効果を有する電極を有するため、高精細な液滴吐出ヘッドの作製に利用することができる。
【符号の説明】
【００９９】
００２  加圧ポンプ
００３  加振機構
００４  ヘッド
００５  ガター
００６  回収ポンプ
１０２  帯電電極板
１０３  収束偏向電極
１１１  ノズル
２０１  第１の収束偏向電極（板）
２０２  第２の収束偏向電極（板）
２０３  第３の収束偏向電極（板）
【図１】
0005725800.tif 000004
【図２】
0005725800.tif 000005
【図３】
0005725800.tif 000006
【図５】
0005725800.tif 000007
【図６】
0005725800.tif 000008
【図７】
0005725800.tif 000009
【図８】
0005725800.tif 000010
【図９】
0005725800.tif 000011
【図１０】
0005725800.tif 000012
【図１１】
0005725800.tif 000013
【図１３】
0005725800.tif 000014
【図１４】
0005725800.tif 000015
【図１６】
0005725800.tif 000016
【図１８】
0005725800.tif 000017
【図２０】
0005725800.tif 000018
【図２１】
0005725800.tif 000019
【図２３】
0005725800.tif 000020
【図２５】
0005725800.tif 000021
【図４】
0005725800.tif 000022
【図１２】
0005725800.tif 000023
【図１５】
0005725800.tif 000024
【図１７】
0005725800.tif 000025
【図１９】
0005725800.tif 000026
【図２２】
0005725800.tif 000027
【図２４】
0005725800.tif 000028